(57)【要約】【課題】疑似餌本体に対して着脱される特性変更部材を疑似餌本体に対して正確に位置決めして意図する所望の特性変更を実現できる疑似餌を提供する。【解決手段】本発明の疑似餌１は、餌の形態を模した疑似餌本体３と、疑似餌本体３に着脱可能に取り付けられ、疑似餌本体３の特性を変更可能な特性変更部材２０とを備える。疑似餌本体３の先端に突設される軸体３０を特性変更部材２０に設けられる貫通孔２０ａ内にその一方側から挿通することにより、疑似餌本体３に対して特性変更部材２０が位置決めされて、疑似餌本体３の外周面と特性変更部材２０の外周面とが当接部において略面一となる。【選択図】図１
2012175938.tif 000002
【特許請求の範囲】
【請求項１】
餌の形態を模した疑似餌本体と、
前記疑似餌本体に着脱可能に取り付けられ、疑似餌本体の特性を変更可能な特性変更部材と、
を備え、
前記疑似餌本体の先端に突設される軸体を前記特性変更部材に設けられる貫通孔内にその一方側から挿通することにより、前記疑似餌本体に対して前記特性変更部材が位置決めされて、前記疑似餌本体の外周面と前記特性変更部材の外周面とが当接部において略面一となることを特徴とする疑似餌。
【請求項２】
前記貫通孔の他方側から突出する前記軸体の突出端に取り付けられて前記疑似餌本体からの前記特性変更部材の抜けを防止する抜け止め部材を更に備えることを特徴とする請求項１に記載の疑似餌。
【請求項３】
前記抜け止め部材が前記特性変更部材を前記疑似餌本体に対して押圧することを特徴とする請求項２に記載の疑似餌。
【請求項４】
前記疑似餌本体に対する前記特性変更部材の回転を規制する回転規制手段を更に備えることを特徴とする請求項１ないし請求項３のいずれか１項に記載の疑似餌。
【発明の詳細な説明】
【技術分野】
【０００１】
本発明は、魚釣りに際して用いられる疑似餌に関する。
【背景技術】
【０００２】
従来から、魚釣りに用いられる疑似餌としては様々な形態のものが知られている。一般に、ルアーなどの疑似餌は、餌の形態を模した疑似餌本体を備えており、釣糸を係止できる釣糸係止部を疑似餌本体に備える。
【０００３】
疑似餌は、その用途に応じて、様々な形状、重量、色、泳ぎ方など固有の特性を有しており、状況に応じてその特性を変えることができるものも存在する。例えば特許文献１は、ルアー先端の部材を交換することで、泳ぎ方等の特性そのものを変えることが可能なルアーを開示している。具体的には、ルアー先端の小径部に外観形状の異なる複数のキャップ部材のうちの１つを選択的に嵌着してネジ固定することにより、泳ぎ方等の特性を変えることができるようになっている。
【先行技術文献】
【特許文献】
【０００４】
【特許文献１】登録実用新案第３０５８８６３号
【発明の概要】
【発明が解決しようとする課題】
【０００５】
しかしながら、特許文献１では、ルアー先端の小径部とキャップ部材とが曲面同士の嵌め合いによって取り付けられるため、互いの位置がずれ易く、場合によってはルアー先端の小径部とキャップ部材との接続境界部に意図しない段差部が生じて、意図する特性変更が得られない場合がある。
【０００６】
本発明は、上記した問題に着目してなされたものであり、疑似餌本体に対して着脱される特性変更部材を疑似餌本体に対して正確に位置決めして意図する所望の特性変更を実現できる疑似餌を提供することを目的とする。
【課題を解決するための手段】
【０００７】
上記した目的を達成するために、本発明に係る疑似餌は、餌の形態を模した疑似餌本体と、前記疑似餌本体に着脱可能に取り付けられ、疑似餌本体の特性を変更可能な特性変更部材とを備え、前記疑似餌本体の先端に突設される軸体を前記特性変更部材に設けられる貫通孔内にその一方側から挿通することにより、前記疑似餌本体に対して前記特性変更部材が位置決めされて、前記疑似餌本体の外周面と前記特性変更部材の外周面とが当接部において略面一となることを特徴とする。
【０００８】
上記構成の疑似餌によれば、疑似餌本体と特性変更部材とが、前述した特許文献１のように曲面同士の嵌め合いではなく、疑似餌本体の先端に突設される軸体を特性変更部材に設けられる貫通孔内にその一方側から挿通することにより位置決めされ、それにより、疑似餌本体の外周面と特性変更部材の外周面とが当接部において略面一となるため、すなわち、曲面に基づく位置合わせではなく、軸を基準とする位置合わせであるため、疑似餌本体と特性変更部材との相互の位置ずれが最小限に抑えられ、特性変更部材の装着に伴って意図する所望の特性変更を実現できる。
【０００９】
上記構成において、特性変更部材によって変更され得る特性としては、例えば、形状、重量、色、泳ぎ方（水流抵抗を変えるなど）等を挙げることができる。したがって、例えば、特性として重量を変更する場合には特性変更部材が重量調整錘として機能し、重さの異なる複数の特性変更部材が用意され、また、特性として泳ぎ方等を変更する場合には、外観形状が異なる複数の特性変更部材が用意される。また、特性変更部材は、疑似餌本体の形態（模様）に適合する形状、例えば餌の頭部に相当する形態を成していてもよい。
【００１０】
なお、上記構成の疑似餌は、貫通孔の他方側から突出する軸体の突出端に取り付けられて疑似餌本体からの特性変更部材の抜けを防止する抜け止め部材を更に備えていてもよい。そのような構成によれば、疑似餌本体に対して特性変更部材を更に確実に装着できる。その場合、抜け止め部材が特性変更部材を疑似餌本体に対して押圧できれば、疑似餌本体と特性変更部材との結合力が増大し、これらの一体性を高めることができる。更に、上記構成において、疑似餌本体に対する特性変更部材の回転を規制する回転規制手段を備えれば、疑似餌本体の外面と特性変更部材の外面とが面一状態を確実に維持できる。
【発明の効果】
【００１１】
本発明によれば、疑似餌本体に対して着脱される特性変更部材を疑似餌本体に対して正確に位置決めして意図する所望の特性変更を実現できる疑似餌を提供できる。
【図面の簡単な説明】
【００１２】
【図１】（ａ）は本発明の第１の実施形態に係る疑似餌の一部断面を伴う分解正面図、（ｂ）は（ａ）のＡ方向矢視図である。
【図２】図２の疑似餌の変形例に係る要部正面図である。
【図３】（ａ）は本発明の第２の実施形態に係る疑似餌の疑似餌本体の側面図（図３の（ｂ）のＢ方向矢視図）、（ｂ）は（ａ）の疑似餌本体の要部正面図である。
【図４】（ａ）は本発明の第２の実施形態に係る疑似餌の特性変更部材の断面図、（ｂ）は（ａ）の特性変更部材のＣ方向矢視図である。
【図５】本発明の第３の実施形態に係る疑似餌の疑似餌本体の要部正面図である。
【図６】（ａ）は本発明の第３の実施形態に係る疑似餌の特性変更部材の断面図、（ｂ）は（ａ）の特性変更部材のＤ方向矢視図である。
【発明を実施するための形態】
【００１３】
以下、図面を参照して本発明の実施形態について説明する。  
図１は本発明の第１の実施形態を示している。図示のように、本実施形態における疑似餌１は、主にイカ釣りに適した構造となっており、例えば、合成樹脂材料（合成樹脂製の発泡材を含む）や木材で形成され、前後方向に長く小魚や海老等の生き物（餌）の形態を模して構成された疑似餌本体３と、疑似餌本体３の例えば先端部（前端部）に着脱可能に取り付けられる略円錐台状の特性変更部材２０とを有している。この場合、特性変更部材２０は疑似餌１（疑似餌本体３）の所定の特性を変化させるためのものであり、それによって変更され得る特性としては、例えば、形状、重量、色、泳ぎ方（水流抵抗を変えるなど）等を挙げることができる。したがって、例えば、特性として重量を変更する場合には、特性変更部材２０が重量調整錘として機能し、重さの異なる複数の特性変更部材２０が用意されて必要に応じて疑似餌本体３の先端部（前端部）に選択的に取り付けられる。また、特性として泳ぎ方等を変更する場合には、外観形状が異なる複数の特性変更部材２０が用意される。また、特性変更部材２０は、疑似餌本体３の形態（模様）に適合する形状、例えば餌の頭部に相当する形態を成していてもよい。
【００１４】
疑似餌本体３の後端には、先端が前方を向いた複数の釣り針６が設けられている。また、疑似餌本体３の前方側の下部には、板状に形成された錘７が、その一部を疑似餌本体３に差し込まれて取り付けられている。さらに、疑似餌本体３には、必要に応じて目８やひれ部材９等が設けられている。
【００１５】
また、本実施形態において、疑似餌本体３の先端面３ａからは断面が円形の軸体３０が突設されている。また、特性変更部材２０には軸体３０が挿通できる円形の貫通孔２０ａが設けられている。そして、本実施形態では、疑似餌本体３の先端に突設される軸体３０を特性変更部材２０に設けられる貫通孔２０ａ内にその一方側から挿通することにより、疑似餌本体３に対して特性変更部材２０が位置決めされて、疑似餌本体３の外周面３ｂと特性変更部材２０の外周面２０ｂとが当接部において略面一（図１および図２の二点鎖線参照）となるようになっている。なお、軸体３０および貫通孔２０ａが非円形断面であってもよい。要は、軸体３０を貫通孔２０ａに挿通した際に、疑似餌本体３に対して特性変更部材２０が位置決めされて、疑似餌本体３の外周面３ｂと特性変更部材２０の外周面２０ｂとが当接部において略面一になればよい。また、本実施形態において、特性変更部材２０には、図１に破線で示されるように釣糸が係止される釣糸係止部２１が設けられてもよい。
【００１６】
また、本実施形態では、特性変更部材２０を疑似餌本体３の前端部に取り付けた際、特性変更部材２０が疑似餌本体３の前端部から抜け落ちることを防止する抜け止め部材が設けられている。具体的に、この抜け止め部材は、特性変更部材２０の貫通孔２０ａの他方側から突出する軸体３０の突出端に取り付けられて疑似餌本体３からの特性変更部材２０の抜けを防止するものであり、図１の本実施形態では、キャップ部材２５として形成される。このキャップ部材２５は後端面に雌ネジ穴２５ａを有しており、軸体３０の先端の雄ネジ３０ａが雌ネジ穴２５ａに螺合することにより、キャップ部材２５が疑似餌本体３側に取り付けられるとともに、ネジの締め付けによってキャップ部材２５が特性変更部材２０を疑似餌本体３（の先端面３ａ）に対して押圧する。なお、このような抜け止め部材は、図２に示されるように、貫通孔２０ａの他方側から突出する軸体３０の突出端の取り付け穴３０ｂに取り付けられる貫通孔２０ａの径よりも大きいスプリットリングまたはスナップ５０として形成されてもよい。このとき、キャップ部材２５のような押圧作用を生起して特性変更部材２０のガタ付き（軸方向の移動）や異音発生等を防止するために、スナップ５０と特性変更部材２０との間または特性変更部材２０と疑似餌本体３との間に軟質部材４０を介挿してもよい。そのような軟質部材４０は、特性変更部材２０および疑似餌本体３の材質よりも柔軟であり、例えば合成ゴム（板ゴム）、合成発泡材（ＥＶＡ発泡材）などから成る。
【００１７】
以上説明したように、本実施形態によれば、疑似餌本体３と特性変更部材２０とが、前述した特許文献１のように曲面同士の嵌め合いではなく、疑似餌本体３の先端に突設される軸体３０を特性変更部材２０に設けられる貫通孔２０ａ内にその一方側から挿通することにより位置決めされ、それにより、疑似餌本体３の外周面３ｂと特性変更部材２０の外周面２０ｂとが当接部において略面一となるため、すなわち、曲面に基づく位置合わせではなく、軸を基準とする位置合わせであるため、疑似餌本体３と特性変更部材２０との相互の位置ずれが最小限に抑えられ、特性変更部材２０の装着に伴って意図する所望の特性変更を実現できる。
【００１８】
図３および図４は本発明の第２の実施形態を示している。ここで、図３の（ａ）は本実施形態に係る疑似餌の疑似餌本体３の側面図（図３の（ｂ）のＢ方向矢視図）、図３の（ｂ）は図３の（ａ）の疑似餌本体３の要部正面図である。また、図４の（ａ）は本実施形態に係る疑似餌の特性変更部材２０Ａの断面図、図４の（ｂ）は図４の（ａ）の特性変更部材２０ＡのＣ方向矢視図である。
【００１９】
これらの図から分かるように、本実施形態では、第１の実施形態の構成に加えて、疑似餌本体３に対する特性変更部材２０Ａの回転を規制する回転規制手段が設けられている。具体的に、本実施形態の回転規制手段は、疑似餌本体３の先端面３ａに突設されたキー（凸条部）５５と、特性変更部材２０Ａの後端面に形成された対応形状のキー溝５７とから成る。つまり、このような回転規制手段では、疑似餌本体３の先端の軸体３０を特性変更部材２０Ａの貫通孔２０ａ内にその一方側から挿通して特性変更部材２０Ａの後端面を疑似餌本体３の先端面３ａに当て付ける際にキー５５をキー溝５７に係合させれば、疑似餌本体３に対する特性変更部材２０Ａの回転が規制され、その状態で、特性変更部材２０Ａが疑似餌本体３に対して位置決めされて、疑似餌本体３の外周面３ｂと特性変更部材２０の外周面２０ｂとが当接部において略面一となる。なお、本構成では、キー５５が軸体３０に設けられていても構わない。
【００２０】
また、このような回転規制部材の他の例が第３の実施形態として図５および図６に示されている。ここで、図５は本実施形態に係る疑似餌の疑似餌本体３の要部側面図であり、図６の（ａ）は本実施形態に係る疑似餌の特性変更部材２０Ｂの断面図であり、また、図６の（ｂ）は図６の（ａ）の特性変更部材２０ＢのＤ方向矢視図である。
【００２１】
これらの図から分かるように、本実施形態の回転規制手段は、疑似餌本体３の錘７の先端側部分を疑似餌本体３の先端面３ａ上に至るまで延出させてこれを係合突起７ａとし、この係合突起７ａと係合可能な切り欠き６０を特性変更部材２０Ｂの後端面に設けることにより構成される。すなわち、このような回転規制手段では、疑似餌本体３の先端の軸体３０を特性変更部材２０Ｂの貫通孔２０ａ内にその一方側から挿通して特性変更部材２０Ｂの後端面を疑似餌本体３の先端面３ａに当て付ける際に係合突起７ａを切り欠き６０に係合させれば、疑似餌本体３に対する特性変更部材２０Ｂの回転が規制され、その状態で、特性変更部材２０Ｂが疑似餌本体３に対して位置決めされて、疑似餌本体３の外周面３ｂと特性変更部材２０Ｂの外周面２０ｂとが当接部において略面一となる。
【００２２】
なお、本発明は、前述した実施形態に限定されず、その要旨を逸脱しない範囲で種々変形して実施することができる。例えば、前述した実施形態では、本発明がイカ釣りに際して用いられる餌木に適用されているが、本発明は、餌木以外の様々な疑似餌に適用できる。
【符号の説明】
【００２３】
１  疑似餌
３  疑似餌本体
７ａ  係合突起（回転規制手段）
２０，２０Ａ，２０Ｂ  特性変更部材
２０ａ  貫通孔
２５，５０  抜け止め部材
３０  軸体
５５  キー（回転規制手段）
５７  キー溝（回転規制手段）
６０  切り欠き（回転規制手段）
【図１】
2012175938.tif 000003
【図２】
2012175938.tif 000004
【図３】
2012175938.tif 000005
【図４】
2012175938.tif 000006
【図５】
2012175938.tif 000007
【図６】
2012175938.tif 000008